(57)【要約】【課題】ユーザに応じた表示フォーマットでユーザが必要とするサービス情報のみを表示する。【解決手段】表示フォーマットの設定が指示され、放送局から受信された全てのサービス情報のうち表示対象のサービス情報がリモコン３０を介して選択されると、選択された表示対象のサービス情報の表示位置及び表示サイズ等がＣＰＵ１８により調整され、その表示フォーマットが変換され、新たな表示フォーマットが作成される。変換後の表示フォーマットのデータはフォーマットメモリ１３ｅに格納され、フォーマットテーブル１３ｆにおいて、リモコン３０に設けられているファンクションキーのうち表示フォーマットの設定対象として選択されたファンクションキーに対応する表示フォーマットの情報として、選択された表示対象のサービス情報及び変換後の表示フォーマット情報が格納される。【選択図】図２
2005198078.tif 000002
【特許請求の範囲】
【請求項１】
映像及び音声情報を含むデジタル放送及びサービス情報を含むデータ放送の放送信号を受信する受信手段と、同一画面上に映像及びサービス情報を表示する表示手段とを備えたデジタル放送受信装置において、
放送信号に含まれるサービス情報のうち、表示対象のサービス情報を選択する選択手段と、
前記選択されたサービス情報を前記表示手段に表示させる表示制御手段と、
を備えることを特徴とするデジタル放送受信装置。
【請求項２】
前記選択手段により選択されたサービス情報の表示画面上における表示フォーマットを作成するフォーマット作成手段と、
前記表示対象のサービス情報と前記フォーマット作成手段により作成された表示フォーマットとを対応付けて記憶するフォーマット記憶手段と、
サービス情報を表示する際に表示フォーマットを指定するための操作手段と、を備え、
前記表示制御手段は、前記操作手段を介して指定された表示フォーマット及び当該表示フォーマットに対応する表示対象のサービス情報を前記フォーマット記憶手段から取得し、当該取得されたサービス情報をその表示フォーマットに従って前記表示手段に表示させることを特徴とする請求項１に記載のデジタル放送受信装置。
【請求項３】
前記フォーマット作成手段は、前記選択手段により表示対象として選択されたサービス情報の組み合わせに応じて複数種類の表示フォーマットを作成し、
前記フォーマット記憶手段は、前記フォーマット作成手段により作成された複数種類の表示フォーマットを各表示フォーマットで表示対象として選択されたサービス情報と対応付けて記憶し、
前記操作手段は、前記フォーマット記憶手段に記憶された複数種類の表示フォーマットを個々に指定するための操作キーを有することを特徴とする請求項２に記載のデジタル放送受信装置。
【発明の詳細な説明】
【技術分野】
【０００１】
本発明は、デジタル放送の放送信号を受信してその放送映像又は音声を再生するデジタル放送受信装置に関する。
【背景技術】
【０００２】
近年、テレビ放送においては、地上波のアナログ放送に代えて通信衛星（ＣＳ；Communications Satellite）や放送衛星（ＢＳ；Broadcast Satellite）を介してデジタル信号を伝送するデジタル放送や、地上波のデジタル放送等が展開されている。
【０００３】
デジタル放送では、ＭＰＥＧ（Moving Picture Experts Group）の圧縮符号化技術により、データの多重化が可能となり、従来のアナログ放送で使用されていたものと同じ電波帯域で複数の番組の映像及び音声を伝送するマルチ編成放送が可能となる。また、番組映像や音声に加えてデータ放送が可能であり、その番組に関する電子番組ガイド（以下、ＥＰＧ；Electriacal Program Guideという）情報や天気予報情報、ニュース情報、野球やサッカーの試合経過情報等の各種サービス情報を伝送することができる。
【０００４】
デジタル放送受信装置では、放送局から受信されたマルチ編成の放送信号に基づいてその放送映像及び音声が再生されるとともに、指示に応じてサービス情報が表示される。この映像やサービス情報を表示する際には、予めデジタル放送受信装置側で準備されている所定の表示フォーマットに従って表示されるが、ユーザの好みに応じたデザインの表示フォーマットを放送局からダウンロードすることができるシステムも開発されている（例えば、特許文献１参照）。
【特許文献１】特開２００１−２９８６７０号公報
【発明の開示】
【発明が解決しようとする課題】
【０００５】
しかしながら、上記表示方法では、受信された複数のサービス情報の全てが表示フォーマットに従って同一画面上に表示される。そのため、天気予報だけ知りたいユーザであっても、株価情報や野球試合の経過情報等、興味の無い情報まで表示されることとなる。また、このように視聴者によっては不要なサービス情報まで全て表示されるため、番組映像の表示領域が小さくなってしまい、小型の表示ディスプレイの場合、映像だけではなくサービス情報の文字も見にくくなるという問題があった。
【０００６】
さらに、デジタル放送受信装置を遠隔操作するリモートコントローラにおいてもサービス情報の表示／非表示を指示するキーが設けられているのみであり、ユーザは複数のサービス情報を全て表示する又は非表示にすることしかできず、サービス情報の表示形態を調整できないという不具合があった。
【０００７】
本発明の課題は、ユーザの好み等に応じた表示フォーマットでユーザが必要とするサービス情報のみを表示することができるデジタル放送受信装置を提供することである。
【課題を解決するための手段】
【０００８】
請求項１に記載の発明は、デジタル放送受信装置において、
映像及び音声情報を含むデジタル放送及びサービス情報を含むデータ放送の放送信号を受信する受信手段と、同一画面上に映像及びサービス情報を表示する表示手段とを備えたデジタル放送受信装置において、
放送信号に含まれるサービス情報のうち、表示対象のサービス情報を選択する選択手段と、
前記選択されたサービス情報を前記表示手段に表示させる表示制御手段と、
を備えることを特徴とする。
【発明の効果】
【０００９】
請求項１に記載の発明によれば、選択された表示対象のサービス情報のみを表示させるので、視聴者の好み等に応じて表示するサービス情報を選択することができる。また、不要なサービス情報により映像の表示領域が小さくなるといった問題を回避することができ、見やすい表示画面を提供することができる。
【００１０】
請求項２に記載の発明によれば、表示対象として選択されたサービス情報とその表示フォーマットを記憶し、操作手段により表示フォーマットが指定されると、当該指定された表示フォーマットに対応するサービス情報をその表示フォーマットで表示するので、表示対象のサービス情報のみを表示するのに最適なレイアウトの表示フォーマットを作成して記憶しておくことにより、再度その表示フォーマットで表示対象として選択したサービス情報のみを表示させることができる。
【００１１】
請求項３に記載の発明によれば、複数種類の表示フォーマットを個々に指定するための操作キーを有するので、簡単な操作で表示対象のサービス情報及びその表示フォーマットを容易に切り換えることができる。
【発明を実施するための最良の形態】
【００１２】
本実施の形態では、ユーザにより選択された表示対象のサービス情報とその表示画面上の表示フォーマットの情報とを呼び出す機能をリモートコントローラに設けられた操作キーに設定し、この操作キーが押下されると、当該操作キーに設定された表示フォーマット情報に従って表示対象として設定されているサービス情報を表示する例を説明する。
【００１３】
まず、構成を説明する。
図１に、本実施の形態におけるデジタル放送受信装置１の外観を示す。
図１に示すように、デジタル放送受信装置１は、テレビ本体部１０と、リモートコントローラ（以下、リモコンと略す）３０とから構成される。
【００１４】
テレビ本体部１０は、放送局から放送信号を受信し、当該放送信号に基づいて映像及び音声を再生しテレビジョン放映を行うものである。放送信号により伝送されるデータには、映像データ、その音声データ及びサービス情報のデータが含まれる。サービス情報とは、ＥＰＧ情報、放送番組に関するＷｅｂページのＵＲＬ情報、天気予報情報、ニュース情報、野球試合のダイジェスト情報等の各種情報をいう。
【００１５】
テレビ本体部１０の前面には表示ディスプレイ１０ａ、リモコン３０から送信された操作信号を受信するリモコン受信部１０ｂ、電源のＯＮ／ＯＦＦキー１０ｃ、スピーカ１０ｄが設けられている。
【００１６】
リモコン３０は、テレビ本体部１０を遠隔操作するための操作手段であり、テレビ本体部１０に操作信号を送信するリモコン送信部３１、表示ディスプレイ３２、視聴するチャンネルを指定するためのチャンネルキー３３、操作指示を取り消す取消キー３４、操作指示を確定する確定キー３５、左右上下方向への移動を指示するためのカーソルキー３６、データの消去を指示するための消去キー３７、サービス情報を表示する際の表示フォーマットを個々に指定するための操作キーであるファンクションキーＦ１〜Ｆ４を備えて構成される。リモコン３０は、押下されたキーに対応する操作信号を赤外線通信によりテレビ本体部１０に送信する。
【００１７】
ユーザは、このリモコン３０が有する取消キー３４、確定キー３５、カーソルキー３６、消去キー３７等により、表示対象のサービス情報を選択することができる。すなわち、リモコン３０により選択手段を実現することができる。
【００１８】
図２に、テレビ本体部１０の内部構成を示す。
図２に示すように、テレビ本体部１０は、アンテナ１１、チューナー部１２、デコーダ部１３、音声制御部１４、音声出力部１５、表示制御部１６、表示部１７、ＣＰＵ（Central Processing Unit）１８、メモリ１９、制御回路２０、リモコン受信部２１を備えて構成される。
【００１９】
アンテナ１１は、放送局から発信された放送信号を受信する受信手段であり、その受信された放送信号をチューナー部１２に出力する。
【００２０】
チューナー部１２は、フィルタ、増幅回路、発振器、ＰＬＬ回路、混合回路等を備えて構成され、受信された放送信号のうち指定されたチャンネルの放送信号を選択し、当該選択された放送信号をデコーダ部１３に出力する。
【００２１】
チューナー部１２における信号処理について説明する。まず放送信号がチューナー部１２に入力されると、フィルタにより所定の周波数帯域の信号のみが抽出され、増幅回路により抽出された放送信号が増幅される。増幅された放送信号は混合回路に出力される。一方で、発振器ではＰＬＬ回路から入力される指定チャンネルに応じた同期信号に基づいて所定の周波数の発振信号が生成され、混合回路に出力される。混合回路では、発振器から入力される発振信号に基づいて増幅回路から入力される放送信号が中間周波信号に変換され、当該中間周波信号がデコーダ部１３に出力される。
【００２２】
デコーダ部１３は、チューナー部１２から入力される放送信号（中間周波信号）の復調を行い、復調された放送信号から映像、音声及びサービス情報の信号を得るものである。デコーダ部１３は、データ分離部１３ａ、音声データ処理部１３ｂ、映像データ処理部１３ｃ、サービス情報データ処理部１３ｄ、フォーマットメモリ１３ｅから構成される。
【００２３】
データ分離部１３ａは、チューナー部１２から入力される放送信号（中間周波信号）に対してＯＦＤＭ（Orthogonal Frequency Division Multiplexing）方式の復調を行う。すなわち、放送信号の変調方式に対応して、ＤＱＰＳＫ（Differential Quadrature Phase Shift Keying）、ＱＰＳＫ（Quadrature Phase Shift Keying）、１６ＱＡＭ（Quadracture Amplitude Modulation）、６４ＱＡＭの４種類の方式による復調を選択的に行う。次いで、ＭＰＥＧ-２ ＴＳ（Transport Stream）方式に従って、復調された放送信号を音声信号、映像信号、サービス情報信号に分離して、音声信号は音声データ処理部１３ｂに、映像信号は映像データ処理部１３ｃに、サービス情報信号はサービス情報データ処理部１３ｄに分離して出力する。
【００２４】
音声データ処理部１３ｂは、入力された音声信号をＭＰＥＧ-２方式に従って復号化し、音声データを生成する。次いで、生成された音声データに各種データ処理を施し、音声制御部１４に出力する。
【００２５】
映像データ処理部１３ｃは、入力された映像信号をＭＰＥＧ-２方式に従って復号化し、映像データ（動画像データ）を生成する。次いで、生成された映像データに各種画像処理を施した後、当該映像データを表示制御部１６に出力する。
【００２６】
サービス情報データ処理部１３ｄは、入力されたサービス情報信号をＭＰＥＧ-２方式に従って復号化し、サービス情報データを生成し、フォーマットメモリ１３ｅに格納する。
【００２７】
フォーマットメモリ１３ｅは、サービス情報のデータを記憶するとともに、そのサービス情報を表示する際の表示位置、表示サイズ等が設定された表示フォーマットのデータを格納するフォーマット記憶手段である。また、フォーマットメモリ１３ｅは、リモコン３０に設けられている各ファンクションキーＦ１〜Ｆ４に対して設定された指定機能、つまりファンクションションキーＦ１〜Ｆ４の押下により指定される表示フォーマット及びその表示フォーマットで表示されるサービス情報が定義されたフォーマットテーブル１３ｆを備えている。
【００２８】
フォーマットテーブル１３ｆには、図３に示すように、ファンクションキーＦ１〜Ｆ４に対して、その押下に応じて表示されるサービス情報（例えば、ファンクションキーＦ１に対しては“サービス情報１”、“サービス情報２”等）と、それらサービス情報を表示する際の表示フォーマット情報（例えば、ファンクションキーＦ１に対しては“表示フォーマットＡ”等）とが対応付けて格納されている。
【００２９】
サービス情報データ処理部１３ｄは、上記フォーマットテーブル１３ｆに基づいて、ファンクションキーＦ１〜Ｆ４により指定された表示フォーマット及びその表示フォーマットで表示するサービス情報を判別し、表示フォーマット及び表示対象のサービス情報のデータを読み出して表示制御部１６に出力する。
【００３０】
音声制御部１４は、音声出力部１５の音声出力動作を制御するものであり、音声データ処理部１３ｂから入力された音声データをＤ／Ａ変換回路によりアナログ変換し、そのアナログ音声信号を音声出力部１５に出力して音声出力させる。音声出力部１５は、図１に示すスピーカ１０ｄを備えて構成され、音声制御部１４による制御に従って音声出力を行う。
【００３１】
表示制御部１６は、表示部１７の表示動作を制御するものであり、サービス情報データ処理部１３ｄから入力された表示フォーマットデータに従って、映像データ処理部１３ｃから入力された映像データと、サービス情報データ処理部１３ｄから入力されたサービス情報データとを合成し表示部１７に出力する。表示部１７は、図１に示した表示ディスプレイ１０ａを備えて構成される表示手段であり、表示制御部１６から入力された映像データ及びサービス情報データの合成データを表示ディスプレイ１０ａ上に表示する。すなわち、サービス情報データ処理部１３ｄ、表示制御部１６等により、表示制御手段を実現することができる。
【００３２】
ＣＰＵ１８は、メモリ１９に格納された各プログラムに従って、デジタル放送受信装置１の各部を統括的に制御するものである。具体的には、本発明に係るデータ表示処理プログラムをメモリ１９から読み出し当該プログラムとの協働により、データ表示処理（図４参照）を統括的に制御する。
【００３３】
データ表示処理では、リモコン３０のチャンネルキー３３により指定されたチャンネルの放送映像及び音声の再生を制御する。また、サービス情報の表示設定が指示され、放送局から受信された全サービス情報のうち表示対象のサービス情報がリモコン５０を介して選択されると、選択された表示対象のサービス情報の表示位置及び表示サイズ等を調整し、新たに表示フォーマットを作成してそのデータをフォーマットメモリ１３ｅに格納する。次いで、フォーマットテーブル１３ｆにおいて、ファンクションキーＦ１〜Ｆ４のうち設定対象のキーとして選択されたファンクションキーに対応付けて、選択された表示対象のサービス情報及び作成された表示フォーマット情報を書き込み、キー設定を行う。すなわち、データ表示処理プログラムとＣＰＵ１８との協働により、フォーマット作成手段を実現することができる。
【００３４】
メモリ１９は、データ表示処理プログラム等の各種制御プログラム及び各プログラムで処理されたデータ等を記憶する。
【００３５】
制御回路２０は、リモコン受信部２１による通信動作を制御するものであり、リモコン受信部２１を介してリモコン３０から送信された操作信号をデコードしてＣＰＵ１８に出力する。
【００３６】
リモコン受信部２１は、リモコン３０のリモコン送信部３１と赤外線通信を行ってリモコン３０から送信された操作信号を受信するものである。受信された操作信号は制御回路２０に出力される。
【００３７】
次に、本実施の形態における動作を説明する。
図４は、放送受信装置１により実行されるデータ表示処理を説明するフローチャートである。
図４に示すデータ表示処理では、まず電源のＯＮ／ＯＦＦキー１０ｃが押下され、電源ＯＮが指示されると、テレビ本体部１０の電源がＯＮにされる（ステップＳ１）。次いで、リモコン３０においてチャンネルキー３３が押下されると、テレビ本体部１０ではアンテナ１１を介して受信される放送信号のうちチャンネルキー３３により指定チャンネルに対応する放送信号が抽出され、抽出された放送信号から音声データ、映像データ及びサービス情報データが取得される。
【００３８】
次いで、取得された音声データに基づいて音声出力部１５により音声出力が行われるとともに、映像データ及びサービス情報データが表示部１７に表示され（ステップＳ３）、テレビ放映が行われる。なお、電源ＯＮされたばかりの初期時には、特に表示対象のサービス情報が指定されていないので、受信された全てのサービス情報がデフォルト設定の表示フォーマットで表示されることとする。
【００３９】
次いで、ＯＮ／ＯＦＦキー１０ｃが押下され、電源のＯＦＦが指示されたか否かが判別される（ステップＳ４）。電源ＯＦＦが指示された場合（ステップＳ４；Ｙ）、テレビ本体部１０の電源がＯＦＦにされて本処理を終了する。一方、電源ＯＦＦが指示されていない場合（ステップＳ４；Ｎ）、リモコン３０においてファンクションキーＦ１〜Ｆ４が操作されたか否かが判別される（ステップＳ５）。
【００４０】
ファンクションキーＦ１〜Ｆ４が操作された場合（ステップＳ５；Ｙ）、操作されたファンクションキーＦ１〜Ｆ４に対応する表示フォーマット情報がフォーマットテーブル１３ｆから読み出され、当該表示フォーマット情報に基づいて表示対象のサービス情報及び表示フォーマットのデータがフォーマットメモリ１３ｅから取得される。そして、現在表示中のサービス情報が取得されたサービス情報に変更されるとともに、その表示フォーマットも取得された表示フォーマットに切り換えられる（ステップＳ６）。そして、ステップＳ３に戻り、切り換えられた表示フォーマットに従って映像及びサービス情報が再表示される。
【００４１】
一方、ファンクションキーＦ１〜Ｆ４が操作されていない場合（ステップＳ５；Ｎ）、表示フォーマットの設定が指示されたか否かが判別され（ステップＳ７）、設定が指示されていない場合は（ステップＳ７；Ｎ）、ステップＳ８の処理に移行し、設定が指示された場合は（ステップＳ７；Ｙ）、ステップＳ１０の処理に移行する。
【００４２】
まず、表示フォーマットの設定が指示されていない場合について説明する。
ステップＳ８では、チャンネルキー３３の操作によりチャンネルの変更が指示されたか否かが判別され、チャンネルの変更が指示されていない場合は（ステップＳ８；Ｎ）、ステップＳ３の処理へ戻り、映像及びサービス情報の表示が続行される。チャンネルの変更が指示された場合は（ステップＳ８；Ｙ）、操作されたチャンネルキー３３に対応するチャンネルに変更され（ステップＳ９）、ステップＳ２の処理に戻って、チューナー部１２において抽出される放送信号が当該変更されたチャンネルに対応する放送信号に切り換えられる。
【００４３】
次に、表示フォーマットの設定が指示された場合について説明する。
ステップＳ１０では、設定画面が表示され、この設定画面において表示フォーマットのキー設定を行うファンクションキーＦ１〜Ｆ４を選択するようガイダンスが行われ、設定対象のファンクションキーＦ１〜Ｆ４の選択が行われる。そして、ファンクションキーＦ１〜Ｆ４の何れかがユーザにより選択されて押下されると、次に表示対象のサービス情報を選択するための選択画面が表示される。ここでは、設定対象キーとしてファンクションキーＦ４が選択されたこととして以下の説明を行うが、他のファンクションキーＦ１〜Ｆ３が選択された場合でも同様に設定処理が行われることとする。
【００４４】
サービス情報の選択画面では、受信された全てのサービス情報がデフォルト設定の表示フォーマットで表示され、この表示された全サービス情報のうちユーザにより指定された不要なサービス情報を削除していく。つまり、不要なサービス情報を削除していくことにより、表示対象のサービス情報を選択させることとなる。
【００４５】
図５（ａ）に、デフォルトの表示フォーマットに従って映像データ及びサービス情報データが表示されたサービス情報の選択画面例を示す。図５（ａ）に示すように、選択画面では右上部に映像が表示され、その下部、左上部、左下部の所定位置にサービス情報１〜５が表示されている。また、選択画面ではサービス情報を指定するためのカーソルＣが表示されており、カーソルＣにより指定されたサービス情報の項目は網掛け表示される等して識別表示される。ユーザはこのカーソルＣを操作して消去したいサービス情報を指定することができる。
【００４６】
次いで、リモコン３０によるキー操作が待機され、カーソルキー３６が操作されたか否かが判別される（ステップ１１）。カーソルキー３６が操作された場合、その押下回数に応じて選択画面上のカーソルＣが移動される（ステップＳ１２）。例えば、サービス情報１の項目にカーソルＣが位置した状態でカーソルキー３６が３回押下された場合、図５（ｂ）に示すように、サービス情報１の項目に位置していたカーソルＣがサービス情報４の項目まで移動される。なお、カーソルＣは、表示されているサービス情報１〜５の各項目間を循環して移動することとする。そして、カーソル操作による移動後はステップＳ１１の処理に戻る。
【００４７】
カーソルキー３６が操作されていない場合（ステップＳ１１；Ｎ）、消去キー３７が操作されたか否かが判別され（ステップＳ１３）、消去キー３７が操作された場合は（ステップＳ１３；Ｙ）、図５（ｃ）に示すように、カーソルＣにより指定されたサービス情報４の項目が画面上から消去される。そして、フォーマットテーブル１３ｆにおいて、選択されたファンクションキーＦ４に対して表示設定されていたサービス情報のうち、指定されたサービス情報が消去される。
【００４８】
次いで、サービス情報の消去に応じて、図５（ｄ）に示すように残りのサービス情報１〜３、５の表示位置や表示サイズ等が調整され、その表示フォーマットが変換され新たに表示フォーマットが作成される。新規作成された表示フォーマットのデータはフォーマットメモリ１３ｅに格納され、フォーマットテーブル１３ｆにおいて、ファンクションキーＦ４に対して設定されている表示フォーマット情報が新規作成された表示フォーマット情報に変更される（ステップＳ１４）。次いで、ステップＳ３の処理へ戻り、新規作成された表示フォーマット情報に従って映像及び新規設定されたサービス情報が再表示される。  このように、表示フォーマットの設定時には、表示対象として選択されたサービス情報の組み合わせに応じて複数種類の表示フォーマットが作成され、各ファンクションキーＦ１〜Ｆ４に設定されていくこととなる。
【００４９】
一方、消去キー３７が操作されていない場合（ステップＳ１３；Ｎ）、消去キー３７ではなく取消キー３４が操作されたか否かが判別される（ステップＳ１５）。取消キー３４が押下された場合は（ステップＳ１５；Ｙ）、サービス情報の表示設定を終了してステップＳ３の処理に戻る。取消キー３４が操作されていない場合は（ステップＳ１５；Ｎ）、ステップＳ１１の処理に戻り、キー操作に応じた処理が繰り返される。
【００５０】
以上のように、本実施形態によれば、受信された複数のサービス情報のうちユーザにより表示対象として選択されたサービス情報のみが表示されるので、ユーザは好みや視聴スタイル等に応じて所望のサービス情報のみを表示するようその表示内容を調整することができる。また、選択された表示対象のサービス情報の表示位置が自動調整されて新たな表示フォーマットが作成されるので、最適な表示フォーマットを設定することができる。例えば、家族でデジタル放送受信装置１を共有する場合は、父親、母親、子供の各個人毎に必要なサービス情報のみを表示する最適な表示フォーマットを設定したり、個人の場合でも視聴する番組のジャンル毎に最適なサービス情報のみを表示する表示フォーマットを設定したりすることができる。
【００５１】
また、リモコン３０に複数のファンクションキーＦ１〜Ｆ４を備え、これら各ファンクションキーＦ１〜Ｆ４に、表示対象のサービス情報及びその表示フォーマットを指定する機能を設定することができるので、サービス情報を表示する際には簡単な操作で表示対象のサービス情報のみを表示する最適な表示フォーマットに容易に切り換えることができる。例えば、家族で放送受信装置１を共有する場合は、ファンクションキーＦ１は父親が使用するキー、ファンクションキーＦ２は母親が使用するキー、ファンクションキーＦ３は子供が使用するキーというように、各ファンクションキーＦ１〜Ｆ４を家族のそれぞれに割り当てて個人毎に最適な表示フォーマットを設定することにより、視聴者に合わせて表示フォーマットを簡単に切り換えることができる。
【００５２】
なお、本実施の形態における記述内容は、本発明を適用した放送受信装置１の好適な一例であり、これに限定されるものではない。
【００５３】
例えば、上述した説明では、ユーザにより選択された不要なサービス情報を削除することにより、表示対象のサービス情報を選択する構成としたが、これに限らず、直接表示対象のサービス情報を選択することとしてもよい。また、ユーザにより指定された不要なサービス情報が画面上から削除された後、放送受信装置１側で自動的に残りのサービス情報の表示位置を調整することとしたが、これに限らず、各サービス情報や映像データの表示位置や表示サイズをリモコン３０の操作により変更できる構成とし、ユーザが自由に表示フォーマットを作成することとしてもよい。
【００５４】
また、上述した説明では、表示対象のサービス情報及びその表示フォーマットを呼び出すための複数のファンクションキーを備えることとしたが、これに限らず、例えばチャンネル毎に表示フォーマットを設定することとし、チャンネルキー３３の操作によりチャンネルが指定されたときにそのチャンネルに設定されている表示フォーマットで映像データ及びサービス情報データを表示することとしてもよい。これにより、例えば父親や母親、子供等、家族構成により視聴するチャンネルが固定化されている場合は、視聴する度に表示フォーマットを切り換える操作を省くことができる。
【００５５】
さらに、ファンクションキーＦ１〜Ｆ４に設定された表示フォーマットの指定機能を、チャンネルキー３３で代替することとしてもよい。或いは、表示フォーマットを切り換える切換キーを１つ設け、当該切換キーが押下される毎に予め設定された複数の表示フォーマットを順に切り換える構成としてもよい。
【００５６】
また、表示フォーマットの切換操作や表示対象のサービス情報の選択操作をリモコン３０により行うこととしたが、テレビ本体部１０側に設けられたキーにより操作することとしてもよい。
【００５７】
その他、本実施の形態におけるデジタル放送受信装置１の細部構成及び細部動作に関しても、本発明の趣旨を逸脱することのない範囲で適宜変更可能である。
【図面の簡単な説明】
【００５８】
【図１】本発明を適用した実施の形態における放送受信装置１を構成するテレビ本体部１０、リモコン３０を示す図である。
【図２】テレビ本体部１０の内部構成を示す図である。
【図３】フォーマットテーブル１３ｆのデータ構成例を示す図である。
【図４】放送受信装置１により実行されるデータ表示処理を説明するフローチャートである。
【図５】（ａ）〜（ｄ）は表示対象のサービス情報を選択するための選択画面の遷移状態を示す図である。
【符号の説明】
【００５９】
１    放送受信装置
１０    テレビ本体部
１１    アンテナ
１２    チューナー部
１３    デコーダ部
１３ａ    データ分離部
１３ｂ    音声データ処理部
１３ｃ    映像データ処理部
１３ｄ    サービス情報データ処理部
１３ｅ    フォーマットメモリ
１３ｆ    フォーマットテーブル
１４    音声制御部
１５    音声出力部
１６    表示制御部
１７    表示部
１８    ＣＰＵ
１９    メモリ
２０    制御回路
２１    リモコン受信部
３０    リモコン
３１    リモコン送信部
３３    チャンネルキー
３４    取消キー
３５    確定キー
３６    カーソルキー
３７    消去キー
Ｆ１〜Ｆ４    ファンクションキー
【図１】
2005198078.tif 000003
【図２】
2005198078.tif 000004
【図３】
2005198078.tif 000005
【図４】
2005198078.tif 000006
【図５】
2005198078.tif 000007